(57)【要約】【課題】観察に適した画像を表示することが可能な撮像装置を提供する。【解決手段】撮像装置（１００）は、被写体の像を光電変換して画像データを出力する撮像部（１０５、１０６）と、画像データの画像処理を行って撮像画像を生成する画像処理部（１０８）と、撮像画像を表示する表示部（１１０、１２０）と、撮像部と画像処理部と表示部とを制御する制御部（１０１、１０７、１１１）とを有し、制御部は、表示部に関する情報と撮像部に関する情報とに基づいて、撮像部および画像処理部の少なくとも一方の設定を変更し、変更後の設定において生成された撮像画像を表示部に表示させる。【選択図】図３
2019121815.tif 000002
【特許請求の範囲】
【請求項１】
被写体の像を光電変換して画像データを出力する撮像部と、
前記画像データの画像処理を行って撮像画像を生成する画像処理部と、
前記撮像画像を表示する表示部と、
前記撮像部と前記画像処理部と前記表示部とを制御する制御部と、を有し、
前記制御部は、
前記表示部に関する情報と前記撮像部に関する情報とに基づいて、前記撮像部および前記画像処理部の少なくとも一方の設定を変更し、
変更後の前記設定において生成された前記撮像画像を前記表示部に表示させることを特徴とする撮像装置。
【請求項２】
前記表示部に関する情報は、前記表示部の解像度、リフレッシュレート、および、コントラスト比のうち少なくとも一つに関する情報であることを特徴とする請求項１に記載の撮像装置。
【請求項３】
前記撮像部は、前記被写体の像を形成する光学系と、前記被写体の像を受光する撮像素子と含み、前記撮像部に関する情報は、前記光学系のピント位置、前記撮像素子の解像度、前記撮像素子の量子化ビット数、露出条件、および、フレームレートのうち少なくとも一つに関する情報であることを特徴とする請求項１または２に記載の撮像装置。
【請求項４】
前記撮像部および前記画像処理部の少なくとも一方の前記設定は、露出条件、オートフォーカス動作、防振動作、および、フレームレートのうち少なくとも一つに関する設定であることを特徴とする請求項１乃至３のいずれか１項に記載の撮像装置。
【請求項５】
前記撮像部および前記画像処理部の少なくとも一方の前記設定は、前記撮像部の撮像素子の撮像有効領域の中から表示のための画像取得範囲、電子防振の算出処理、輝度飽和値の算出処理、黒潰れ値の算出処理、および、画像強調処理のうち少なくとも一つに関する設定であることを特徴とする請求項１乃至４のいずれか１項に記載の撮像装置。
【請求項６】
前記表示部の表示モードは、前記撮像画像を生成するための第１のモードと前記撮像画像を観察するための第２のモードとを有し、
前記制御部は、
前記第１のモードにおいて、撮像のための露出条件に関する情報を前記表示部に表示させ、
前記第２のモードにおいて、前記表示部に関する情報と前記撮像部に関する情報とに基づいて、前記撮像部および前記画像処理部の少なくとも一方の前記設定を、前記第１のモードにおける設定から変更することを特徴とする請求項１乃至５のいずれか１項に記載の撮像装置。
【請求項７】
前記表示モードを変更する変更手段を更に有し、
前記制御部は、前記変更手段が前記表示モードを前記第１のモードから前記第２のモードへ変更した場合、前記表示部に関する情報と前記撮像部に関する情報とに基づいて、前記撮像部および前記画像処理部の少なくとも一方の前記設定を変更することを特徴とする請求項６に記載の撮像装置。
【請求項８】
前記表示部は、前記撮像装置の本体に対して着脱可能に構成されていることを特徴とする請求項１乃至７のいずれか１項に記載の撮像装置。
【請求項９】
外部機器との通信を行うための通信手段を更に有し、
前記制御部は、
前記外部機器との通信が確立されている場合、前記表示モードを前記第１のモードに設定し、
前記外部機器との通信が確立されていない場合、前記表示モードを前記第２のモードに設定することを特徴とする請求項６乃至８のいずれか１項に記載の撮像装置。
【請求項１０】
前記表示部は、電子ビューファインダであり、
ユーザが前記電子ビューファインダを使用しているか否かを判定する判定手段を有し、
前記制御部は、
前記電子ビューファインダが使用されていない場合、前記表示モードを前記第１のモードに設定し、
前記電子ビューファインダが使用されている場合、前記表示モードを前記第２のモードに設定することを特徴とする請求項６乃至９のいずれか１項に記載の撮像装置。
【請求項１１】
前記表示部は、第１の表示部と第２の表示部とを有し、
前記制御部は、
前記第１の表示部に関する情報または前記第２の表示部に関する情報と前記撮像部に関する情報とに基づいて、前記撮像部および前記画像処理部の少なくとも一方の設定を変更し、
変更後の前記設定において生成された前記撮像画像を前記第１の表示部または前記第２の表示部に表示させることを特徴とする請求項１乃至１０のいずれか１項に記載の撮像装置。
【請求項１２】
被写体の像を光電変換して画像データを出力する撮像部と、前記画像データの画像処理を行って撮像画像を生成する画像処理部と、前記撮像画像を表示する表示部と、を有する撮像装置の制御方法であって、
前記表示部に関する情報と前記撮像部に関する情報とに基づいて、前記撮像部および前記画像処理部の少なくとも一方の設定を変更するステップと、
変更後の前記設定において生成された前記撮像画像を前記表示部に表示させるステップと、を有することを特徴とする撮像装置の制御方法。
【請求項１３】
請求項１２に記載の撮像装置の制御方法をコンピュータに実行させるように構成されていることを特徴とするプログラム。
【発明の詳細な説明】
【技術分野】
【０００１】
本発明は、表示部を備えた撮像装置に関する。
【背景技術】
【０００２】
特許文献１には、撮像手段が向いている方向に応じた情報を表示手段に表示する電子カメラが開示されている。特許文献２には、ライブビューモニタにより被写体像を観察する際に、被写界深度が変更されるようにレンズユニットを制御する光学装置が開示されている。特許文献３には、ブレ検出手段の出力から撮影方向を変更しているか否かを判定し、撮影方向を変更していると判定された場合に、フレームレートを通常時よりも高く設定する撮像装置が開示されている。特許文献４には、被写体輝度が高くなるにつれて撮影者の瞳に入射する光量を減ずるか、または入射しないように制御するカメラが開示されている。
【先行技術文献】
【特許文献】
【０００３】
【特許文献１】特開２００９−２５３７１７号公報
【特許文献２】特開２０１４−１５０３１０号公報
【特許文献３】特開２００７−３３６３８８号公報
【特許文献４】特開平６−３３２０４０号公報
【発明の概要】
【発明が解決しようとする課題】
【０００４】
しかしながら、特許文献１〜４の方法では、表示部を介して被写体を観察するための適切な設定を行っていないため、観察に適した画像を表示することができない。
【０００５】
そこで本発明は、観察に適した画像を表示することが可能な撮像装置、撮像装置の制御方法、および、プログラムを提供することを目的とする。
【課題を解決するための手段】
【０００６】
本発明の一側面としての撮像装置は、被写体の像を光電変換して画像データを出力する撮像部と、前記画像データの画像処理を行って撮像画像を生成する画像処理部と、前記撮像画像を表示する表示部と、前記撮像部と前記画像処理部と前記表示部とを制御する制御部とを有し、前記制御部は、前記表示部に関する情報と前記撮像部に関する情報とに基づいて、前記撮像部および前記画像処理部の少なくとも一方の設定を変更し、変更後の前記設定において生成された前記撮像画像を前記表示部に表示させる。
【０００７】
本発明の他の側面としての撮像装置の制御方法は、被写体の像を光電変換して画像データを出力する撮像部と、前記画像データの画像処理を行って撮像画像を生成する画像処理部と、前記撮像画像を表示する表示部と、を有する撮像装置の制御方法であって、前記表示部に関する情報と前記撮像部に関する情報とに基づいて、前記撮像部および前記画像処理部の少なくとも一方の設定を変更するステップと、変更後の前記設定において生成された前記撮像画像を前記表示部に表示させるステップとを有する。
【０００８】
本発明の他の側面としてのプログラムは、前記撮像装置の制御方法をコンピュータに実行させるように構成されている。
【０００９】
本発明の他の目的及び特徴は、以下の実施形態において説明される。
【発明の効果】
【００１０】
本発明によれば、観察に適した画像を表示することが可能な撮像装置、撮像装置の制御方法、および、プログラムを提供することができる。
【図面の簡単な説明】
【００１１】
【図１】第１の実施形態における撮像装置の概略構成図である。
【図２】第１の実施形態における撮像装置のブロック図である。
【図３】第１の実施形態における撮像装置の動作を示すフローチャートである。
【図４】第２の実施形態における撮像装置の動作を示すフローチャートである。
【図５】第３の実施形態における撮像装置の動作を示すフローチャートである。
【図６】各実施形態における撮像装置の動作の説明図である。
【図７】各実施形態における撮像装置の動作の説明図である。
【図８】第３の実施形態における撮像装置の動作の説明図である。
【発明を実施するための形態】
【００１２】
以下、本発明の実施形態について、図面を参照しながら詳細に説明する。
【００１３】
本発明の各実施形態に係る撮像装置は、以下のような考えに基づく。従来、デジタルスチルカメラやビデオカメラなどの撮像装置は、電子ビューファインダ（Ｅｌｅｃｔｒｏｎｉｃ  Ｖｉｅｗ  Ｆｉｎｄｅｒ：ＥＶＦ）やライブビューモニタなどの表示部を有する。そして、ＥＶＦやライブビューモニタに単純に撮影範囲を表示するだけではなく、画像認識技術を使用して被写体に関する情報を表示する技術が知られている。また、速いパンニング動作の際にはフレームレートを高く設定し、ユーザが観察しやすくする技術が知られている。しかしながら、それらの技術を実施する際に、撮影時と観察時のそれぞれに対して適切な（好ましくは最適な）モードを用意し、モードの設定に応じて撮像装置の動作を適切化（最適化）する技術は知られていない。このため、モード設定に応じて撮像装置の動作を通常の撮影時の設定とは変更し、ユーザに更なる利便性や付加価値を与える余地があった。
【００１４】
そこで本実施形態の撮像装置は、撮影モードと観察モードとを含む複数のモードを有する。ユーザが撮影モードを設定した場合、表示部に、シャッタースピードなどの露出条件に関する情報（設定値）などの撮影の補助を目的とする表示を行う。一方、ユーザが観察モードを設定した場合、表示部の情報と撮像装置が有する撮像部の情報とに基づいて、画像処理部、撮像部、または、その両方の動作設定を撮影モード時の動作設定から変更する。そして、その結果得られる観察に適した画像を表示部に表示する。ここで表示部は、液晶ディスプレイや有機ＥＬディスプレイなど、画像を表示する表示手段を含む。
【００１５】
撮影モードと観察モードを設けることにより、撮影するために利便性を向上させる表示ではなく、被写体を観察することに特化した観察しやすい画像をユーザに提供することができる。例えば、高倍率な結像光学系を有する撮像装置の望遠端を使用して、単眼鏡や望遠鏡として被写体を観察するために利便性を向上した撮像装置を提供することが可能となる。
【００１６】
（第１の実施形態）
次に、図１および図２を参照して、本発明の第１の実施形態における撮像装置１００の基本的な構成について説明する。図１は、撮影装置（デジタルスチルカメラ）１００の概略構成図である。図２は、撮像装置１００のブロック図である。
【００１７】
図１において、１０１はＣＰＵ（中央演算処理装置）などの制御部である。制御部１０１は、撮像装置１００の各部の動作を制御する。１０５は、レンズ（結像光学系）１０５ａを有するレンズ装置である。撮像素子（撮像手段）１０６は、ＣＭＯＳセンサやＣＣＤセンサを有し、レンズ装置１０５により形成された被写体の像（光学像）を光電変換して画像データを出力する。なお図１において、レンズ装置１０５は便宜的に１枚のレンズ１０５ａのみを備えるように表現しているが、実際には複数のレンズを備えていてもよい。
【００１８】
レンズ装置１０５を通過した光は撮像素子１０６上に結像され、例えば後述の図３に示されるフローチャートに従って取得された画像が第１の表示部１１０の第１の表示手段１１８に表示される。第１の表示部１１０は、いわゆるＥＶＦと呼ばれる。第１の表示部１１０は、接眼レンズ群１３５を介して、第１の表示手段１１８に表示された画像を観察可能に構成されている。第１の表示手段１１８は、例えば小型のＴＦＴ方式のディスプレイや有機ＥＬディスプレイなどである。一方、撮像装置１００の外装背面部には、第２の表示部１２０が設けられている。第２の表示部１２０は、いわゆるライブビューモニタと呼ばれる。第２の表示部１２０は第２の表示手段１２８を有し、ユーザは、第２の表示手段１２８に表示された画像を直接観察することができる。第２の表示手段１２８は、例えばＴＦＴ方式のディスプレイや有機ＥＬディスプレイなどである。
【００１９】
焦点制御部１１９は、例えば、取得した画像のコントラスト情報に基づくコントラストＡＦ（山登りＡＦ）により、撮像画面の複数の領域についての焦点検出を行うことが可能である。なお本実施形態において、ＡＦ方法はコントラストＡＦに限定されるものではなく、位相差ＡＦでもよい。制御部１０１は、撮像素子１０６から取得した画像情報により被写体像を複数の領域に分割し、各々の分割領域の輝度や色を検出することが可能である。また制御部１０１は、検出した輝度や色情報に基づいて、測光制御部１３２を用いてシャッタースピードや絞り値などの露出条件を設定することができる。また制御部１０１は、検出した輝度や色情報に基づいて、顔認識、および色認識から被写体が人物であるか否かの判定を行うこともできる。
【００２０】
ユーザがレリーズＳＷ１１４を押すと、被写体の光はレンズ装置１０５により集光される。シャッター１３３は、撮像素子１０６に入射する光量を制御する。撮像素子１０６は、レンズ装置１０５により形成された被写体像（光学像）を光電変換し、画像データを出力する。画像処理部１０８は、撮像素子１０６から出力された画像データに対して所定の画像処理を行い、撮像画像を生成する。撮像画像は、記録メディアに記録されるとともに、第１の表示部１１０または第２の表示部１２０に表示される。シャッター１３３は、フォーカルプレーンシャッターやレンズシャッター、または、電子的に撮像素子１０６に取り込む光量を制御する電子シャッターでも構わない。以上が通常の静止画撮影のフローである。
【００２１】
図２に示されるように、制御部１０１は、制御プログラムを記憶しているＲＯＭ（リードオンリーメモリ）１０２およびＲＡＭ（ランダムアクセスメモリ）１０３のそれぞれに接続されている。また制御部１０１は、データ格納手段１０４、データ通信手段（通信手段）１０９、画像処理部１０８、表示制御部１１１、レリーズＳＷ１１４、および、電源としての電池１１６を供給するためのＤＣ／ＤＣコンバータ１１７のそれぞれに接続されている。画像処理部１０８は、撮像素子制御部１０７に接続されている。撮像素子制御部１０７は、撮像素子１０６に接続されている。本実施形態において、撮像素子１０６は、例えば有効画素数約１０００万画素（横３８８８×縦２５９２画素、アスペクト比３：２）を有するＣＭＯＳセンサである。
【００２２】
第１の表示部１１０は撮像装置１００の外装背面部に設けられ、第２の表示部１２０は撮像装置１００の上部に設けられている。第１の表示部１１０および第２の表示部１２０はそれぞれ、撮像素子１０６と解像度（撮像素子１０６の場合は画素数、表示素子の場合はドット数と呼ばれる場合がある）が異なる。このため、第１の表示部１１０および第２の表示部１２０はそれぞれ、撮像素子１０６により撮像された画像を縦横各々間引き処理された画像を表示することができる。第１の表示部１１０の第１の表示手段１１８は、例えばＴＦＴカラー液晶（横１８００ドット、縦１２００ドット、アスペクト比３：２）である。第２の表示部１２０の第２の表示手段１２８は、例えば有機ＥＬパネル（横８０４ドット、縦５３６ドット、アスペクト比３：２）である。このように撮像装置１００は、複数の表示部（第１の表示部１１０および第２の表示部１２０）を有するため、複数の表示部のうちいずれの表示部を使用するかを選択する表示部選択手段１５２を有する。これにより、一方の表示部に画像を表示し、他方の表示部には画像を表示しないようにすることができる。
【００２３】
表示制御部１１１は、撮像素子１０６により撮像された画像（静止画像または動画像を含む）を、第１の表示部１１０や第２の表示部１２０に表示させるための駆動を行う。撮像装置１００は、後述のように撮影モードおよび観察モードを含む複数のモードを有するため、モードを変更する表示モード変更手段（変更手段）１５１を備えている。表示モード変更手段１５１は、表示制御部１１１に接続されている。ＤＣ／ＤＣコンバータ１１７には、電池１１６から電源が供給されている。ただし電源が供給されればよいため、電池１１６である必要は無く、他の電源装置を用いても構わない。
【００２４】
制御部１０１は、ＲＯＭ１０２内の制御プログラムに基づいて各種制御を行う。これらの制御の中には、画像処理部１０８から出力された撮像画像（画像）信号を読み込み、ＲＡＭ１０３へ転送を行う処理がある。同様に、ＲＡＭ１０３より表示制御部１１１へデータを転送する処理、また、画像データをＪＰＥＧ圧縮し、ファイル形式でデータ格納手段１０４へ格納する処理がある。動画データの場合も、同様な処理を経てＭＯＶ形式のファイルに圧縮され、データ格納手段１０４に格納される。また撮像装置１００は、撮像装置１００を遠隔制御するためのデータ通信手段１０９を有する。データ通信手段１０９は、スマートフォンなどに代表されるような、第３の表示部１６１（第３の表示手段）を有する外部機器１６０と通信し、撮像装置１００で得られた画像を第３の表示部１６１に表示させて確認しながら撮影を行うこともできる。なお、データ通信手段１０９と外部機器１６０との間の通信は有線または無線で行われる。また制御部１０１は、撮像素子１０６、撮像素子制御部１０７、画像処理部１０８、および、表示制御部１１１などに対してデータ取り込み範囲やデジタル画像処理の変更を指示する。
【００２５】
焦点制御部１１９は、コントラストＡＦや位相差ＡＦなどの焦点検出方法を用いて焦点位置を検出する。例えば制御部１０１は、現在位置からどの程度レンズ１０５ａを移動させれば焦点が合うかを算出し（または現状のレンズ位置で焦点が合ったか否かを判定し）、レンズ駆動部１３１に駆動量を指示する。レンズ駆動部１３１は、制御部１０１から出力された駆動量に応じて、レンズ装置１０５の特定のレンズの位置を変更することにより、焦点を合わせる動作を行う。焦点を合わせる方法は、レンズ位置を駆動するレンズ駆動に限定されるものではなく、撮像素子１０６およびレンズ装置１０５の全体との相対位置を変化させても同様の効果が得られる。このとき、例えば撮像素子１０６をレンズ装置１０５（レンズ１０５ａ）の光軸ＯＡに沿って前後させることが好ましい。また制御部１０１は、レリーズＳＷ１１４の操作に伴う撮影動作の指示、撮像装置１００の各部への電源の供給を制御するための制御信号をＤＣ／ＤＣコンバータ１１７に対して出力するなど、様々な制御を行う。
【００２６】
ＲＡＭ１０３は、画像展開エリア、ワークエリア、ＶＲＡＭ、および、一時退避エリアなどを備えている。画像展開エリアは、画像処理部１０８から送信された撮像画像（ＹＵＶデジタル信号）やデータ格納手段１０４から読み出されたＪＰＥＧ圧縮画像データを一時的に格納するためのテンポラリバッファとして使用される。または、画像展開エリアは、画像圧縮処理や解凍処理のための画像専用ワークエリアとして使用される。ワークエリアは、各種プログラムのためのワークエリアである。ＶＲＡＭは、各表示部へ表示する表示データを格納するＶＲＡＭとして使用される。また、一時退避エリアは、各種データを一時退避させるためのエリアである。データ格納手段１０４は、制御部１０１によりＪＰＥＧ圧縮された撮像画像データ、または、ＭＯＶ形式動画像データをファイル形式で格納するためのフラッシュメモリである。撮像素子１０６は、制御部１０１からの解像度変換指示に従って、水平方向および垂直方向の間引き画素データの出力が可能である。
【００２７】
撮像素子制御部１０７は、撮像素子１０６に転送クロック信号やシャッター信号を供給するためのタイミングジェネレータ、撮像素子１０６からの出力信号のノイズ除去、ゲイン処理を行うための回路を有する。また撮像素子制御部１０７は、アナログ信号を例えば１０ビットデジタル信号に変換するためのＡ／Ｄ変換回路を有する。１０ビットデジタル信号は、画像情報を取得するための量子化ビット数に対応する。ビット数は、撮像素子１０６の仕様などで種々変更可能である。また撮像素子制御部１０７は、第１の表示部１１０および第２の表示部１２０のそれぞれにおける表示および動画撮影を行うため、制御部１０１からの解像度変換指示に従って、画素間引き処理を行うための回路を有する。
【００２８】
レリーズＳＷ１１４は、撮影動作の開始を指示する操作部材である。レリーズＳＷ１１４は、操作部材としてのレリーズボタンの押下圧によって２段階のスイッチポジションを有する。１段目のポジション（ＳＷ１  ＯＮ）の検出で、ホワイトバランスや測光などの撮像装置１００の設定のロック動作が行われる。２段目のポジション（ＳＷ２  ＯＮ）の検出で、被写体画像信号の取り込み動作が行われる。
【００２９】
測光制御部１３２は、制御部１０１の指示に従って、撮像素子１０６を駆動制御し、被写体輝度信号を取り込み、制御部１０１にデータを送る。基本的な測光動作としては、撮像素子１０６の受光面の画素において発生した輝度信号は制御部１０１にて各々Ａ／Ｄ変換が行われ、各々８ビットのデジタル信号となる。測光制御部１３２は、このデジタル信号に対して、レンズ装置１０５の明るさを示す絞り値（Ｆ値：Ｆｎｏ．（実効Ｆｎｏ．））の補正、センサ出力信号のバラツキ補正（レベル・ゲインの調整）、レンズ装置１０５から送られてくる情報等から測光補正を行う。このような補正後、最終的な被写体輝度信号値を得ることができる。
【００３０】
制御部１０１は、これらの情報に基づいて、撮像装置１００の最適露出演算を行い、シャッタースピードやレンズ装置１０５の絞り値を最適に制御することで最適な露光を得ることができる。前述の通り、撮像素子１０６は、露出制御のみならず、撮像素子１０６が出力する多数の被写界輝度信号や色信号に基づいて、制御部１０１の演算処理により被写体検出、および撮影シーンの判定が可能である。本実施形態において、レンズ装置１０５、撮像素子１０６、撮像素子制御部１０７、レンズ駆動部１３１、焦点制御部１１９、レリーズＳＷ１１４、シャッター１３３、および、測光制御部１３２により撮像部が構成される。前述のように、撮像部は、被写体の像を光電変換して画像データを出力する。
【００３１】
画像処理部１０８は、撮像素子制御部１０７から出力された１０ビットデジタル信号をガンマ変換や色空間変換、および、ホワイトバランス、ＡＥ、フラッシュ補正等の画像処理を行う。そして画像処理部１０８は、ＹＵＶ（４：２：２）フォーマットの８ビットデジタル信号出力を行う。表示制御部１１１は、画像処理部１０８から転送されたＹＵＶデジタル画像データ、または、データ格納手段１０４の画像ファイルに対して、ＪＰＥＧの解凍を行ったＹＵＶデジタル画像データを受け取る。そして表示制御部１１１は、受け取った画像データをＲＧＢデジタル信号へ変換した後、第１の表示部１１０または第２の表示部１２０へ出力する処理を行う。電池１１６は、リチャージャブルの２次電池または乾電池である。ＤＣ／ＤＣコンバータ１１７は、電池１１６からの電源供給を受け、昇圧、レギュレーションを行う。このような構成により、複数の電源を作り出し、制御部１０１など、撮像装置１００の各部に必要な電圧の電源を供給することができる。ＤＣ／ＤＣコンバータ１１７は、制御部１０１からの制御信号により、各々の電圧供給の開始、停止を制御することが可能である。
【００３２】
なお本実施形態において、撮像装置１００は、レンズ装置１０５と撮像装置本体とが一体的に構成されているが、これに限定されるものではなく、撮像装置本体と、撮像装置本体に着脱可能なレンズ装置（交換レンズ）とを備えた撮像システムであってもよい。
【００３３】
次に、図３を参照して、撮影モードと観察モードにおける撮像装置１００の動作を説明する。図３は、本実施形態における撮像装置１００の動作（制御方法）を示すフローチャートである。図３の各ステップは、主に制御部１０１の指令に基づいて実行される。
【００３４】
まず、ステップＳ１００において、ユーザは表示モード変更手段１５１を用いて、撮像装置１００の表示モードを撮影モードまたは観察モードに設定する。ユーザが撮影モードを選択した場合、ステップＳ１０１に進む。ステップＳ１０１において、制御部１０１の指令に基づいて、表示制御部１１１は、表示モードを撮影モードに設定し、ステップＳ１１０に進む。
【００３５】
ステップＳ１１０は、ステップＳ１１１、Ｓ１１２を含む。ステップＳ１１１において、制御部１０１（表示制御部１１１）は、撮像部の情報を取得する（ステップＳ１１１）。続いてステップＳ１１２において、制御部１０１（表示制御部１１１）は、撮像画像情報を取得する。撮像部の情報は、具体的には露出条件設定情報であり、シャッタースピードや絞り値、ＩＳＯ感度などの露出条件値や、レンズ装置１０５のピント位置情報を含む。また撮像部の情報は、焦点制御部１１９によって得られる焦点位置情報を含む。よって、ステップＳ１１１の「撮像部の情報を取得する」は、制御部１０１が焦点位置情報を含む露出条件設定情報を取得するステップである。ステップＳ１１２の「撮像画像情報を取得する」とは、第１の表示部１１０または第２の表示部１２０などの表示部に表示させるための画像情報を取得するステップである。具体的には、現在撮影中の被写体画像を表示するための画像情報である。制御部１０１は、これらの情報を取得した後、ステップＳ１０２に進む。
【００３６】
ステップＳ１０２において、制御部１０１（表示制御部１１１）は、画像などを表示部に表示させる。表示部に表示させる内容は、今撮影している被写体画像に加えて、露出条件設定値の情報や合焦位置、構図決定を補助するための水平垂直グリッドなどである。また制御部１０１は、輝度飽和警告やＡＦに対応した測距点情報を表示させてもよい。測距点情報とは、画面のどの位置を重点的にＡＦするかを示した点の位置情報である。撮影モード時には、撮像素子１０６の全体で得られた画像情報を表示部の表示手段の解像度に合わせて縮小処理（間引き処理）された画像が表示される。このように、ユーザが被写体を意図した通りに撮影するために必要な情報を表示部に表示させるモードが撮影モードである。なおステップＳ１１０は、説明の簡略化のため、前述の順番で説明したが、本発明の趣旨の範囲内であれば順番を前後させても構わない。
【００３７】
一方、ステップＳ１００にてユーザが観察モードを選択した場合、ステップＳ１０３に進む。ステップＳ１０３おいて、制御部１０１の指令に基づいて、表示制御部１１１は、表示モードを観察モードに設定し、ステップＳ１２０に進む。ステップＳ１２０は、ステップＳ１２１、Ｓ１２２、Ｓ１２３を含む。ステップＳ１２１において、制御部１０１（表示制御部１１１）は、表示部の情報（表示部に関する情報）を取得する。続いてステップＳ１２２において、制御部１０１（表示制御部１１１）は、撮像部の情報（撮像部に関する情報）を取得する（ステップＳ１２１）。続いてステップＳ１２３において、制御部１０１（表示制御部１１１）は、撮像画像情報を取得する。本実施形態において、表示部は、ＴＦＴカラー液晶パネルや有機ＥＬパネルなどの表示パネル本体を表示手段として含む。ステップＳ１２１の「表示部の情報」とは、具体的には表示手段の解像度（縦横のドット数）、リフレッシュレート、コントラスト比（ダイナミックレンジ）を少なくとも含む。ステップＳ１２２の「撮像部の情報」は、ステップＳ１１１にて説明した情報と同じ情報である。ステップＳ１２３の「撮像画像情報」とは、ステップＳ１１２にて説明した情報と同じ情報である。
【００３８】
続いてステップＳ１２４において、制御部１０１の指令に従って、表示制御部１１１は、表示部の情報と撮像部の情報とに基づいて、画像処理部１０８もしくは撮像部、またはその両方の動作（設定）を撮影モード時の動作（設定）から変更する。そしてステップＳ１０４において、表示制御部１１１は、動作（設定）変更後に得られる画像情報を各表示部に表示させる。以下、これによりユーザが得られる効果について具体的に説明する。
【００３９】
＜実施効果例１＞
ユーザが撮像装置１００を手に持って、第１の表示部１１０（いわゆるＥＶＦ）にて観察モードで被写体を観察する場合を考える。前述のように、撮像素子１０６は、３８８８×２５９２画素を有するＣＭＯＳセンサであり、第１の表示部１１０に用いられる第１の表示手段１１８は１８００×１２００ドットを有する。このとき、撮像素子１０６と第１の表示手段１１８の解像度に大きくギャップがある。撮影モードであれば、ＣＭＯＳセンサで得られた画像を縮小して第１の表示手段１１８に表示させるだけであるが、このギャップを利用して余裕分を防振機能に使用することができる。これに関して、図６を参照して詳述する。
【００４０】
図６は、撮像装置１００の動作の説明図であり、撮像素子１０６の全体を示している。第１の表示部１１０が有する第１の表示手段１１８の解像度を下回らない範囲で、実際に画像を取得して表示に使用する範囲をある程度小さくし、その分できる余裕代を電子防振に使用することができる。すなわち制御部１０１（表示制御部１１１）は、撮像素子１０６の撮像有効領域（撮像可能範囲）の中から表示に使用するための画像取得範囲（第１の表示部１１０に表示させる範囲）を第１の表示手段１１８の解像度に応じて決定する。電子防振とは、画像処理にて被写体の動きベクトルを算出して被写体のブレを補正する技術である。技術内容は種々開示されており、公知技術を使用して構わない。余裕代を必要とする理由は、画面の端に存在する被写体の動きベクトルを算出するには、画面の外側も見る必要があるためである。余裕代の大きさ（電子防振の利用範囲）は、補正するブレの大きさをどの程度まで対象とするかに応じて変化するため、余裕代の大きさは必要に応じて適宜変更することができる。ただし、第１の表示手段１１８の解像度を下回ると解像度不足になり、ぼやけて見えることになるため、好ましくない。このため制御部１０１（表示制御部１１１）は、第１の表示手段１１８の解像度と電子防振の補正量とに応じて余裕代の量を決定することが好ましい。なお、動きベクトル算出処理やブレ補正処理も電子防振の算出処理に含まれる。
【００４１】
第２の表示部１２０は、前述のように横８０４ドット、縦５３６ドットの第２の表示手段１２８を有する。ユーザがＥＶＦではなく、撮像装置１００の外装背面部の第２の表示部１２０で観察する場合、第２の表示部１２０は第１の表示部１１０と解像度が異なるため、取り得る余裕代の大きさを変更することができる。第２の表示部１２０は、第１の表示部１１０よりも解像度が小さいためより多くの余裕代が取れ、より大きなブレにも対応可能である。このため、表示手段の解像度よりも撮像素子１０６の解像度の方が大きいことが好ましい。この場合、表示部の情報とは、表示手段（第１の表示手段１１８、第２の表示手段１２８）の解像度を意味する。撮像部の情報とは、撮像素子１０６の解像度（有効画素数）を意味する。制御部１０１は、予め設定されたブレ補正量に基づいて画像処理部１０８で動きベクトルの算出やブレ補正を行う。そして制御部１０１は、表示制御部１１１に対して、補正した画像を対応する表示部に表示させるように指示する。
【００４２】
また変形例として、ブレの補正量について高周波な速い振動成分よりも画面から飛び出してしまうような大きなブレ幅を持ったブレを重点的に補正するように撮影モード時の防振設定値から変更してもよい。ここで防振設定値とは、ブレの周波数やブレの振幅をどこまで補正対象にするかという設定値の情報を意味する。制御部１０１は、この設定値に基づいて電子防振の算出処理にてブレを補正する。写真や動画記録であれば、被写体がシャッタースピードよりも速く高周波な振動をしていると何が写っているかわからなくなる場合があるが、観察時はリアルタイムで起こっている事象を見ているためこのようなことはない。しかし、画面から被写体が外れてしまうほどの大きなブレは、被写体を探し直さないといけないため、好ましくない。このようなことから、高周波ブレよりも大きな振幅のブレを重点的に補正するような防振設定値に撮影モード時の防振設定値から変更することが好ましい。
【００４３】
このように、表示部が有する表示手段の解像度と撮像素子１０６の解像度とに応じて、画像処理部１０８の動作設定を撮影モードの時の動作設定から変更することにより、観察に好適な画像を表示することが可能である。
【００４４】
＜実施効果例２＞
ここで説明する実施効果例は、ユーザが撮像装置１００を望遠鏡または単眼鏡として使用する際に好適な例である。表示手段の解像度よりも撮像素子１０６の解像度の方が大きく、前述の実施効果例１のように撮像素子１０６の解像度と第１の表示部１１０または第２の表示部１２０が有する表示手段の解像度にギャップがある場合を想定する。
【００４５】
図７は、撮像装置１００の動作の説明図であり、撮像素子１０６の全体を示している。撮像された画像を第１の表示部１１０が有する第１の表示手段１１８に表示させる際に、撮像素子１０６の全範囲ではなく、図７に示されるように第１の表示部１１０の解像度範囲のみを第１の表示部１１０に表示させる。これにより、レンズ装置１０５の画角範囲よりも狭い範囲を第１の表示手段１１８の画面全体に表示することができるため、より望遠効果を出すことが可能となる。その結果、より被写体に近づいたかのように観察することができる。この場合、撮像素子１０６の解像度と第１の表示手段１１８の解像度との比が大きいほど望遠倍率が上がるため、高精彩かつ高い望遠比を出すには解像度の大きい撮像素子１０６を使用することが好ましい。
【００４６】
解像度の異なる表示手段を有する表示部が複数ある場合、各表示手段の解像度に応じて望遠倍率を変更することができる。ここでは、制御部１０１は、表示手段の解像度情報に基づいて撮像素子１０６で撮像する範囲（各表示部へ表示させる範囲）を決定する。そして制御部１０１は、表示制御部１１１に対して、撮像した画像を対応する表示部に表示させるように指示する。または、撮像素子１０６では全領域で撮像しており、表示する表示手段の解像度に合うように画像処理部１０８で画像をトリミングした画像を表示してもよい。
【００４７】
このように、表示部が有する表示手段の解像度と撮像素子１０６の解像度とに応じて、画像処理部１０８の動作設定を撮影モードの時の動作設定から変更することにより、観察に好適な画像を表示することが可能である。
【００４８】
＜実施効果例３＞
ここで説明する実施効果例は、ユーザが動いている被写体を観察する時に好適な例である。撮像部で取得する画像情報は、３０ｆｐｓや６０ｆｐｓなど、ある有限な範囲のフレームレートを有する。ここで、ｆｐｓとは１秒間に取得可能なフレーム数（画像数）を意味する。表示手段は、５０Ｈｚや６０Ｈｚなど、ある有限な範囲で表示可能なリフレッシュレートを有する。リフレッシュレートとは、１秒間に画面が書き換えられる回数を意味する。リフレッシュレートが早いほど人間の目には画像が滑らかに見える。よって、表示手段が取り得る最大のリフレッシュレートに応じて撮像部で取得する画像のフレームレートを決定して画像を表示することにより、最も滑らかな画像を表示することが可能となる。
【００４９】
このとき、フレームレートに応じてシャッタースピードを変更することが好ましい。フレームレートとシャッタースピードが大きく異なると、違和感のある表示画像になりやすい。例えばフレームレートが３０ｆｐｓでシャッタースピードが１０００分の１秒の場合、１秒間に３０枚の画像を取得する。しかし、３０枚の画像のそれぞれが１０００分の１秒間の出来事を記録しているため、３０枚の画像ごとに時間の間隔があいてしまう。その結果、滑らかな画像というよりはパラパラ漫画のような画像になってしまうため、好ましくない。このため、シャッタースピードをフレームレートに近づけて設定されることが好ましい。
【００５０】
また被写体が暗い場合であっても、３０分の１秒以上長いシャッタースピードを取ることはできない。このときシャッタースピードをフレームレートと同じスピードに設定しても適正露出にならない場合、絞り値やＩＳＯ感度を調節することが好ましい。写真としては見た目が良くなくても、肉眼で観察する際には多少ノイズが多くても問題ない場合がある。このため、「暗くて見えない」というよりはノイズが多くても見えることの方が観察には重要な場合がある。
【００５１】
また、絞り値が開放状態であってもまだ暗い場合、ＩＳＯ感度を上げることが好ましい。この場合、表示部の情報とは、表示手段のリフレッシュレートを意味する。撮像部の情報とは、フレームレート、シャッタースピード、絞り値、ＩＳＯ感度を意味する。制御部１０１は、表示手段のリフレッシュレートに応じて適切なフレームレートとシャッタースピードを設定し、露出の過不足が生じた場合には絞り値やＩＳＯ感度で調節を行うように指示する。第１の表示部１１０と第２の表示部１２０の各表示手段で取り得るリフレッシュレートが異なる場合、ユーザがどちらの表示部を利用するかで制御部１０１が設定するフレームレートとシャッタースピードが異なる。それに応じて露出の過不足が生じた場合、絞り値やＩＳＯ感度で調節を行うように指示する。
【００５２】
なお、フレームレートは撮像部により決定される前提で説明したが、例えば撮像部では最大限のフレームレートで出力し、画像処理部１０８である一定のフレームレートまで間引くような処理をしていても構わない。この場合、制御部１０１は、表示部が有する表示手段のリフレッシュレートと、画像処理部１０８で設定したフレームレートとに応じて、撮像部の動作設定や画像処理部１０８の動作設定を撮影モードの時の動作設定から変更する。
【００５３】
このようにリフレッシュレートと、フレームレートに応じて撮像部の動作設定や画像処理部の動作設定を撮影モードの時の動作設定から変更することにより、観察に好適な画像を表示することが可能である。
【００５４】
＜実施効果例４＞
ここで説明する実施効果例は、ユーザが奥行きのある被写体を観察している時に好適な例である。レンズ装置１０５は、有限のＦ値（絞り値）を有するため、有限な被写界深度が存在する。このため、観察している被写体が奥行きを持った被写体の場合、被写体の全てがシャープに写るわけではなく、ピントが合った位置から奥や手前はぼけていることがある。その結果、被写体の全てを一度に観察することができない。この場合、前述したように画像処理部１０８で被写体認識を行い、被写体の全部または被写体も含めた被写体周辺部が高いコントラストで写るように絞り値を変更して（絞り値を大きくして）被写界深度が深くなるようにする。これにより画像が暗くなってしまう場合、ＩＳＯ感度を上げればよい。
【００５５】
コントラストが高く表示できる度合いについては、表示手段の解像度にもよる。表示手段の解像度が撮像素子１０６の解像度と同等である場合と、表示手段の解像度が撮像素子１０６の解像度の半分の時とでは、同じ画像でも見え方が変わる。各表示手段のドットサイズが同じという前提ではあるが、表示手段の解像度が小さい方がコントラストが高く見える。これは、ある程度ボケている画像であっても縮小すればボケが目立たなくなることと同じである。よって、コントラストの評価においても表示手段の解像度に応じて評価し、各表示手段で表示した時にコントラストがある閾値以上で見えるような絞り値を設定すればよい。
【００５６】
また、実施効果例２で説明した撮像素子１０６の一部のみ使用して画像を表示する場合、被写界深度を深くする領域も狭くなるため、少しの絞り値の変更で済む場合もある。このため、実施効果例２の例と組み合わせて使用すると、被写体の全てをシャープに写しつつノイズの少ない画像が得られるため、更に好ましい。
【００５７】
この場合、表示部の情報とは、表示手段の解像度を意味する。撮像部の情報とは、絞り値、ＩＳＯ感度、ピント位置などを意味する。これらの情報に基づいて、画像処理部１０８が被写体認識とコントラスト算出とを行い、制御部１０１が撮像部へ絞り値やＩＳＯ感度の変更指示を行う。そして制御部１０１は、表示制御部１１１に対して、その結果得られた画像を対応する表示部に表示させるように指示する。また、第１の表示部１１０や第２の表示部１２０が有する各表示手段のように解像度が異なる表示手段が複数存在する場合、ユーザがどの表示手段で観察するかに応じて絞り値やＩＳＯ感度が異なる。
【００５８】
このように、表示手段の解像度と撮像部の情報とに応じて撮像部の動作設定や画像処理部の動作設定を撮影モードの時の動作設定から変更することにより、観察に好適な画像を表示することが可能である。ここで撮像部の情報とは具体的には、絞り値、ＩＳＯ感度、ピント位置を意味する。
【００５９】
＜実施効果例５＞
ここで説明する実施効果例は、ユーザが暗い被写体を観察している時に好適な例である。レンズ装置１０５は有限のＦ値（絞り値）を有し、一定以上に暗い被写体の場合には見えなくなってしまう。しかし、表示手段の有するリフレッシュレートをある一定以上のレートに維持するには、シャッタースピードもある一定以上に遅くすることはできない。また、単純に表示手段の輝度を高くして明るく表示するだけでは、黒潰れしてしまっている被写体は黒潰れしたままであり、観察することができない。このため、黒潰れしないレベルまで露出を調節する必要がある。この場合、ＩＳＯ感度を高く設定するか、または、余裕がある場合には絞り値を開放値にすればよい。これにより、ノイズが増えるが被写体が見えるようになるため観察には好適である。この場合、観察対象の被写体が黒潰れしているかどうかについて、画像処理部１０８が黒潰れ値の算出処理を行う。黒潰れ値の算出処理の結果、黒潰れしていると判定された場合、撮像部は制御部１０１を通じて黒潰れしないレベルまで露出を調節する。
【００６０】
また、動きの少ない被写体の場合、速いリフレッシュレートが不要である。このため、リフレッシュレートやフレームレートを低くし、多少画像がカクカクしてもシャッタースピードを遅くしてノイズが少なく鮮明に見えるようにしてもよい。また、表示手段の取り得るコントラスト比（ダイナミックレンジともいう）によっても暗い被写体の見え方は変わる。コントラスト比が低い表示手段の場合、画面全体を明るくしてもうまく肉眼で視認できないことがある。この場合、表示手段のコントラスト比に応じて、画像処理部１０８でエッジ強調やガンマカーブの補正など画像強調処理を行うことが好ましい。また、ＥＶＦではなく撮像装置１００の外装背面部の表示手段で観察するような場合、外光も多く表示手段で反射するため見にくくなる。この場合、不図示の外光センサなどで環境光を測定し、その環境光の強さに応じて画像処理部１０８で画像強調処理（エッジ強調やガンマカーブの補正）などを行い、表示手段に表示させることが更に好ましい。
【００６１】
この例の場合、表示部の情報とは、表示手段のリフレッシュレートやコントラスト比（ダイナミックレンジ）を意味する。撮像部の情報とは、シャッタースピード、絞り値、ＩＳＯ感度、フレームレートなどを意味する。これらの情報に基づいて、画像処理部１０８によってピントが合っている位置（または、コントラストが高い位置）やその周辺領域について明るさを算出する。そして、その明るさが閾値以下の場合、制御部１０１は、明るさが閾値以上になるように撮像部へシャッタースピード、絞り値、ＩＳＯ感度、そしてフレームレートなどの変更指示を行う。また好ましくは、制御部１０１は、画像処理部１０８を用いて、画面全域の動きベクトルを算出し、動きの多い被写体か動きの少ない被写体かを判定する。そして制御部１０１は、撮像部へシャッタースピード、絞り値、ＩＳＯ感度、および、フレームレートなどの変更を指示する。また制御部１０１は、表示制御部１１１に対して、その結果得られた画像を対応する表示部に表示させるように指示する。
【００６２】
また、第１の表示部１１０や第２の表示部１２０のように表示手段が複数あり、例えばそれぞれの表示手段でリフレッシュレートが異なる場合、ユーザがどの表示手段で観察するかによって露出条件設定値が異なる。このときの露出条件設定値とは、具体的にはシャッタースピード、絞り値、ＩＳＯ感度、および、フレームレートを意味する。
【００６３】
このように、表示手段のリフレッシュレートと撮像部の情報とに応じて、撮像部の動作設定や画像処理部の動作設定を撮影モードの時の動作設定から変更する。これにより、観察に好適な画像を表示することが可能である。ここで撮像部の情報とは、シャッタースピード、絞り値、ＩＳＯ感度、および、フレームレートに関する情報を意味する。
【００６４】
＜実施効果例６＞
ここで説明する実施効果例は、実施効果例５とは逆に、ユーザが明るい被写体を観察している時に好適な例である。明るい被写体を観察している際に肉眼で見える明るさで忠実に表示すると、目が疲れる場合がある。この場合、明るさ調節を行うことが好ましい。具体的には、実施効果例５の逆を行えばよい。単純に表示手段の輝度を低くするだけでは、白く飽和してしまっている被写体は飽和したままであり観察できない。このため、飽和しないレベルまで露出を調節する必要がある。すなわち制御部１０１は、ＩＳＯ感度を下げる、または、表示手段のリフレッシュレートや撮像部のフレームレートに応じて絞り値やシャッタースピードを調節する。この場合、制御部１０１は、画像処理部１０８を用いて、観察対象の被写体が輝度飽和しているかどうかについて輝度飽和値の算出処理を行う。輝度飽和値の算出処理の結果、輝度飽和していると判定された場合、制御部１０１は、撮像部に対して、輝度飽和しないレベルまで露出を調節する。他の部分についても実施効果例５と逆の作用を行えばよいため、説明は省略する。これにより、明るい被写体であっても目が疲れず滑らかに鮮明な画像として観察することができる。
【００６５】
このように、表示手段のリフレッシュレートと撮像部の情報とに応じて撮像部の動作設定や画像処理部の動作設定を撮影モードの時の動作設定から変更することにより、観察に好適な画像を表示することが可能である。ここで撮像部の情報とは、シャッタースピード、絞り値、ＩＳＯ感度、そしてフレームレートに関する情報を意味する。
【００６６】
＜実施効果例７＞
ここで説明する実施効果例は、ユーザが観察中に明るい光源が視野に飛び込んできた時に好適な例である。風景を観察時に夕日が視野に入ってしまう、または、車のヘッドライトや照明が視野に入ってしまう場合、その明るい領域が広くなるほど観察中に目が疲れてしまう場合がある。このとき、被写体が適正露出の場合、実施効果例５や実施効果例６のように画面全体の露出や明るさを変えると被写体本体が見えにくくなり、好ましくない。
【００６７】
この場合、制御部１０１は、例えば前述のように被写体認識をした後、被写体以外の画面領域で高輝度な物体が進入したときに、その高輝度な部分だけの明るさを変えるように表示手段のバック照明の輝度を制御する。または制御部１０１は、表示手段がＥＬパネルのように自発光式の場合には明るさを制御する。または制御部１０１は、電子シャッターの場合には撮像素子１０６の各画素で露出を変えるように電子的に各画素のシャッタースピードを制御する。または制御部１０１は、画像処理部１０８を用いて、白く輝度飽和している領域またはある一定の閾値の明るさを超えた画素を検知し、その部分だけをある特定の輝度値へ変更する処理を行ってもよい。例えば、飽和領域について輝度を半分にする、または、黒く塗りつぶすなどである。また、被写体以外のコントラストが低い場合、撮影モード時の設定と同じオートフォーカスの設定では適切に被写体にピントを合わせることができない可能性がある。このとき制御部１０１は、画面の中心のみをオートフォーカス対象にするなど、オートフォーカスの設定値も変えるとよい。
【００６８】
この例の場合、表示部の情報とは、表示手段のコントラスト比（または解像できるダイナミックレンジ）や部分的に明るさを制御できる輝度範囲、また明るさを制御できる領域の情報を意味する。撮像部の情報とは、撮像素子１０６の受光輝度や画像情報を取得するための量子化ビット数の情報を意味する。この例の場合、撮像部ではなく画像処理部１０８の情報を使っても成立するため、画像処理部１０８の輝度飽和情報を使用してもよい。ただし、どの輝度で飽和するかは撮像素子１０６で取得可能な量子化ビット数や表示手段が制御可能なコントラスト比（ダイナミックレンジ）にもよる。このため、撮像素子１０６で取得可能な量子化ビット数や表示手段が表示可能なダイナミックレンジに応じて、画像処理部１０８が輝度飽和判定の閾値を設定することが好ましい。
【００６９】
このように、表示部の情報と撮像部の情報とに応じて画像処理部１０８の動作設定を撮影モードの時の動作設定から変更することにより、観察に好適な画像を表示することが可能である。
【００７０】
＜実施効果例８＞
ここで説明する実施効果例は、実施効果例７とは逆に、ユーザが明るい背景の中で暗い被写体を観察している時に好適な例である。明るい背景（例えば逆光時など）に暗い被写体を観察している際には、背景の明るさとのギャップによって目が疲れる場合がある。この場合、背景と被写体の明るさ調節を行うことが好ましい。具体的には、実施効果例７の逆を行えばよい。単純に表示手段の輝度を低くするだけでは、元々暗い被写体が更に暗くなるだけであるため、適切に観察することが難しい。このため、明るい背景部と暗い被写体部の明るさを部分的に露出調節する必要がある。
【００７１】
この場合、制御部１０１は、例えば前述のように被写体認識をした後、被写体以外の背景部だけの明るさを変えるように表示手段のバック照明の輝度を制御する。または制御部１０１は、表示手段がＥＬパネルのように自発光式の場合には明るさを制御する。または制御部１０１は、電子シャッターの場合には撮像素子１０６の各画素で露出を変えるように電子的に各画素のシャッタースピードを制御する。または制御部１０１は、画像処理部１０８を用いて、白く輝度飽和している領域もしくはある一定の閾値の明るさを超えた画素を検知し、その部分だけをある特定の輝度値へ変更する処理を行ってもよい。例えば、飽和領域について輝度を半分にすることや、黒く塗りつぶすなどである。
【００７２】
また、実施効果例７と同様に、画面の中心のみをオートフォーカス対象にするなどオートフォーカスの設定値も変えてもよい。また、暗い被写体部に対しては逆に視認可能なレベルになるように明るさを変えて明るくしてもよい。他の部分についても実施効果例７と逆の作用を行えば良いため、その説明は省略する。これにより、周囲が明るくて暗い被写体であっても、目が疲れず滑らかに鮮明な画像として観察することができる。
【００７３】
このように本実施形態において、制御部１０１は、撮像部と画像処理部１０８と表示部（第１の表示部１１０および第２の表示部１２０）とを制御する。制御部１０１は、表示部に関する情報と撮像部に関する情報とに基づいて、撮像部および画像処理部１０８の少なくとも一方の設定を変更し、変更後の設定で取得された撮像画像を表示部に表示させる。表示部に関する情報は、表示部の解像度、リフレッシュレート、および、コントラスト比（ダイナミックレンジ）のうち少なくとも一つに関する情報である。撮像部に関する情報は、露出条件（シャッタースピード、絞り値、ＩＳＯ感度）、ピント位置、撮像素子の解像度、撮像素子の量子化ビット数、および、フレームレートのうち少なくとも一つに関する情報である。撮像部および画像処理部の少なくとも一方の設定は、露出条件、オートフォーカス動作、防振動作、および、フレームレートのうち少なくとも一つに関する設定である。また、撮像部および画像処理部の少なくとも一方の設定は、撮像部の撮像素子の撮像有効領域の中から表示のための画像取得範囲、電子防振の算出処理、輝度飽和値の算出処理、黒潰れ値の算出処理、および、画像強調処理のうち少なくとも一つに関する設定である。このように表示部の情報と撮像部の情報とに応じて画像処理部１０８の動作設定を撮影モードの時の動作設定から変更することにより、観察に好適な画像を表示することが可能である。
【００７４】
以上の通り、本実施形態によれば、表示部の情報と撮像部の情報とに応じて、撮像部もしくは画像処理部またはその両方の動作設定を撮影モードの時の動作設定から変更する。これにより、観察に好適な画像を表示可能な撮像装置を提供することができる。また本実施形態では、ステップＳ１２０内での処理は説明を簡略化するためにこの順番で説明したが、本発明の趣旨の範囲内であれば順番を前後しても構わない。
【００７５】
（第２の実施形態）
次に、図４を参照して、本発明の第２の実施形態について説明する。図４は、本実施形態における撮像装置１００の動作（制御方法）を示すフローチャートである。図４の各ステップは、主に制御部１０１の指令に基づいて実行される。本実施形態は、撮影モードと観察モードに加えて、それらを自動的に選択する自動選択モードを有する点で、第１の実施形態とは異なる。なお、本実施形態におけるその他の構成は、図１および図２を参照して説明した第１の実施形態と同じであるため、その説明は省略する。
【００７６】
本実施形態は、撮像装置１００をスマートフォンなどの外部機器１６０と無線または有線で接続して撮影に用いる場合に好適な例である。例えば、撮像装置１００のインターフェイスを極力シンプルにし、表示部をＥＶＦ（第１の表示部１１０）のみにして、撮影条件の設定や撮影操作は主にスマートフォンのアプリケーションを使用して行う場合である。なお、この場合でも、自動選択モードを選択することなく撮影モードと観察モードの切り替えを手動で選択する場合は、第１の実施形態と同じである。
【００７７】
まず、ステップＳ２００において、ユーザは表示モードを設定する。続いてステップＳ２０１において、制御部１０１は、ユーザが表示モード変更手段１５１で表示モード設定の選択モードを自動選択モードに設定したか否かを判定する。手動選択モードに設定された場合、ステップＳ２２１に進む。この場合、以降の処理は第１の実施形態と同じである。一方、自動選択モードに設定された場合、ステップＳ２１１に進む。
【００７８】
ステップＳ２１１において、制御部１０１は、外部機器１６０と通信が確立しているか否かを判定する。このとき、外部機器１６０が見つからず接続ができない場合や接続フローの途中でまだ接続が確立できていない場合、ステップＳ１０３に進み、制御部１０１は表示モードを観察モードに設定する。一方、外部機器１６０との接続が確立された場合、既に観察モードが設定されていた場合であってもステップＳ１０１の撮影モードへ移行する。これにより、撮像装置１００が単体で動作している場合、観察モードとして機能するシンプルな単眼鏡として利用できる。また、外部機器１６０と接続することにより、撮影機材としても利用できる。観察モードや撮影モードの各処理の内容は、第１の実施形態と同じである。なお本実施形態において、撮像装置１００の本体に設けられる表示部はＥＶＦ（第１の表示部１１０）のみであるとしたが、撮像装置１００の外装背面部にも表示部（第２の表示部１２０）があってもよい。
【００７９】
本実施形態において、表示部の情報と撮像部の情報とに応じて撮像部もしくは画像処理部、またはその両方の動作設定を撮影モード時の動作設定から変更する。これにより本実施形態によれば、観察に好適な画像を表示可能な撮像装置を提供することができる。
【００８０】
（第３の実施形態）
次に、図５を参照して、本発明の第３の実施形態について説明する。図５は、本実施形態における撮像装置１００の動作（制御方法）を示すフローチャートである。図５の各ステップは、主に制御部１０１の指令に基づいて実行される。本実施形態は、撮影モードと観察モードに加えて、それらを自動的に選択する自動選択モードを有する点で、第１の実施形態とは異なる。また、第２の実施形態では、外部機器１６０との接続確立までの間は自動的に観察モードとなる例を示している。一方、本実施形態は、複数の表示部を使用する際にユーザがＥＶＦを使用したときにのみ自動的に観察モードとなる点で、第２の実施形態とは異なる。なお、本実施形態におけるその他の構成は、図１および図２を参照して説明した第１の実施形態と同じであるため、その説明は省略する。
【００８１】
本実施形態では、１つのＥＶＦとＥＶＦ以外の表示部をそれぞれ１以上有することが前提であるが、表示部が３つ以上でも選択項目が増えるだけであり処理自体は同様であるため、ここでは２つの表示部が設けられている例について説明する。本実施形態において、第１の表示部１１０はＥＶＦ、および、第２の表示部１２０は撮像装置１００の外装背面部の表示手段またはスマートフォンなどの外部機器１６０の表示手段である。
【００８２】
まずステップＳ３００において、ユーザは表示モードを設定する。続いてステップＳ３０１において、制御部１０１は、ユーザが表示モード変更手段１５１で表示モード設定の選択モードを自動選択モードに設定したか否かを判定する。手動選択モードに設定された場合、ステップＳ３２０に進む。手動選択モードにおいて、ユーザは、ステップＳ３２１の撮影モードを選択するか、ステップＳ３３１の観察モードを選択する。各モード選択後の処理は第１の実施形態で説明した処理と同じである。具体的には、撮影モードを選択した場合、ステップＳ１１０に進む。ステップＳ１１０は、第１の実施形態で説明した内容と同じである。しかし、本実施形態では表示部が複数あるため、どの表示部に表示させるか表示部選択手段１５２にてユーザが選択することができるように、ステップＳ３２２にて表示部を選択する。これにより、ユーザはステップＳ３２３に進んで第２の表示部１２０に画像を表示させるか、または、ステップＳ３３３へ進んで第１の表示部１１０に画像を表示させるかを選択することができる。ユーザがステップＳ３３１の観察モードを選択した場合も同様である。ステップＳ１２０やステップＳ１２４は、第１の実施形態で説明した内容と同じである。またステップＳ３３２では、ステップＳ３２２と同様に、どの表示部に表示させるかをユーザが選択することができる。以上が、手動選択モードの説明である。
【００８３】
次に、ステップＳ３０１にて自動選択モードが選択され、ステップＳ３０２へ進むフローについて説明する。この場合、まずステップＳ３０２において、表示制御部１１１は、制御部１０１の指令に基づいて、ユーザがＥＶＦ（第１の表示部１１０）を覗いているか否かを判定する。
【００８４】
図８は撮像装置１００の動作の説明図であり、図８（ａ）は正面からＥＶＦを見た図、図８（ｂ）は横からＥＶＦを見た図をそれぞれ示している。図８（ａ）、（ｂ）に示されるように、表示モード変更手段１５１は、物体近接センサなどの判定手段１５１ａを有する。判定手段（物体近接センサ）１５１ａは、ユーザがＥＶＦを覗く行為に応じて反応する。表示制御部１１１は、判定手段１５１ａの出力信号に基づいて、ユーザがＥＶＦを使用しているか否かを判定する。ＥＶＦは、ＥＶＦ内の表示手段を拡大表示できるようにＥＶＦ光学系１１０ａを有する。ここでは便宜的にＥＶＦ光学系１１０ａを１枚のレンズで表現しているが、実際には複数のレンズを備えていてもよい。
【００８５】
このように、表示制御部１１１は、ＥＶＦに顔が近づいたときに反応してＥＶＦ内の第１の表示手段１１８に表示を行う。また、顔を離したときはＥＶＦの第１の表示手段１１８をオフにすることができるため、省電力化が可能となり好ましい。このようにステップＳ３０２において、表示制御部１１１は、判定手段１５１ａを用いてＥＶＦをユーザが使用しているか否かを判定する。ユーザがＥＶＦを覗いていない場合、ステップＳ３０３へ進み、制御部１０１は表示モードを撮影モードに設定する。なお、撮影モードの内容は第１の実施形態で説明した内容と同じである。このため、ステップＳ１１０は第１の実施形態で説明した内容と同じである。このとき、ＥＶＦは使用していないため、ステップＳ３０４において、制御部１０１は第２の表示部１２０に画像を表示させる。
【００８６】
一方、ステップＳ３０２にてＥＶＦを使用していると判定された場合、ステップＳ３０５へ進み、制御部１０１は表示モードを観察モードに設定する。なお、観察モードの内容は第１の実施形態で説明した内容と同じである。このため、ステップＳ１２０、Ｓ１２４は第１の実施形態で説明した内容と同じである。このとき、ユーザはＥＶＦを覗いているため、ステップＳ３０６において、制御部１０１はＥＶＦ（第１の表示部１１０）に画像を表示させる。
【００８７】
このように本実施形態では、ＥＶＦを使用しているか否かを判定する判定手段１５１ａを設け、ＥＶＦを使用している場合にのみ表示モードを観察モードに設定する。これにより、外光に左右されずユーザは観察に集中することができる。なお本実施形態では、判定手段１５１ａとして物体近接センサを例に挙げたが、これに限定されるものではなく、ユーザがＥＶＦを使用しているか否かを判定可能であれば、これ以外の方法を採用してもよい。
【００８８】
また変形例として、第１の表示部１１０（ＥＶＦ）が撮像装置１００の本体に対して着脱可能であり、複数の種類のＥＶＦを選択的に撮像装置１００の本体に装着できるように構成してもよい。例えば、コントラスト比、解像度やリフレッシュレートなどの表示部の情報が異なるＥＶＦを種々装着可能とする。そして、ＥＶＦが種々ある中で撮像装置１００に装着したＥＶＦの解像度やリフレッシュレートなどの違いに応じて、画像処理部１０８や撮像部の動作を撮影モード時の設定から変えてもよい。これにより、観察する対象に応じて最適なＥＶＦを選択することができる。例えば、電子防振を重視するか、リフレッシュレートやノイズ量を重視するかなどである。
【００８９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００９０】
以上のように、各実施形態において、表示部の情報と撮像部の情報とに応じて撮像部もしくは画像処理部またはその両方の動作設定を撮影モード時の動作設定から変更する。これにより、各実施形態によれば、観察に適した画像を表示することが可能な撮像装置を提供することができる。
【００９１】
以上、本発明の好ましい実施形態について説明したが、本発明はこれらの実施形態に限定されず、その要旨の範囲内で種々の変形及び変更が可能である。また、各実施形態が奏する実施効果例１〜８は一例に過ぎず、他の効果を奏してもよい。
【符号の説明】
【００９２】
１００  撮像装置
１０１  制御部
１０５  レンズ装置（撮像部）
１０６  撮像素子（撮像部）
１１０  第１の表示部（表示部）
１２０  第２の表示部（表示部）
【図１】
2019121815.tif 000003
【図２】
2019121815.tif 000004
【図３】
2019121815.tif 000005
【図４】
2019121815.tif 000006
【図５】
2019121815.tif 000007
【図６】
2019121815.tif 000008
【図７】
2019121815.tif 000009
【図８】
2019121815.tif 000010